(57)【要約】【課題】意匠や使用の便宜を損なうことなく、充分な防汚効果を長期に亘って発揮可能な防汚設備を提供する。また、そのような防汚設備に用いて好適な紫外線照射装置を提供する。【解決手段】防汚設備である洋風便器１は、自己又は自己の周辺が防汚を必要とする洋風便器本体１０と、紫外線を照射するＵＶ−ＬＥＤ４６を先端にもつノズル本体３４とを備えている。ノズル本体３４は、洋風便器本体１０及び／又はその周辺に紫外線を照射可能にＵＶ−ＬＥＤ４６が洋風便器本体１０に対して移動可能に構成されている。【選択図】図１
2006316607.tif 000002
【特許請求の範囲】
【請求項１】
自己又は自己の周辺が防汚を必要とする対象物と、紫外線を照射する出射部をもつロッドとを備え、該ロッドは、該対象物及び／又はその周辺に該紫外線を照射可能に該出射部が該対象物に対して移動可能に構成されていることを特徴とする防汚設備。
【請求項２】
前記対象物は、洋風便器本体、便座及び便蓋の少なくとも一つであり、前記出射部は、該洋風便器本体、該便座上の人の局部、該便座及び前記便蓋の少なくとも一つに前記紫外線を照射可能に構成されている請求項１記載の防汚設備。
【請求項３】
前記洋風便器本体は前記鉢面に封水を形成するトラップをもち、前記出射部は、該封水の水位が下がる時に該鉢面に突出し、該トラップに前記紫外線を照射可能である請求項２記載の防汚設備。
【請求項４】
洗浄水を吐出可能なノズルを備え、前記ロッドは該ノズルである請求項２又は３記載の防汚設備。
【請求項５】
前記ノズルは、前記洗浄水を吐出する際、該洗浄水に前記紫外線を照射することにより、該紫外線が導波された該洗浄水を人の局部に当てるものであることを特徴とする請求項４記載の防汚設備。
【請求項６】
前記ノズルは、前記洗浄水を吐出する際、該洗浄水に前記紫外線を照射することにより、該紫外線が導波された該洗浄水を前記鉢面に当てるものであることを特徴とする請求項４記載の防汚設備。
【請求項７】
前記対象物は鉢面をもつシンクであり、前記出射部は該鉢面に前記紫外線を照射可能に構成されている請求項１記載の防汚設備。
【請求項８】
前記対象物はカウンタであり、前記出射部は該カウンタの表面又は裏面に前記紫外線を照射可能に構成されている請求項１記載の防汚設備。
【請求項９】
前記対象物には、光触媒が設けられている請求項１乃至８のいずれか１項記載の防汚設備。
【請求項１０】
前記出射部の表面には、前記紫外線を透光可能であるとともに光触媒を含む防汚層が形成されている請求項１乃至９のいずれか１項記載の防汚設備。
【請求項１１】
紫外線を照射する出射部をもち、自己又は自己の周辺が防汚を必要とする対象物に対して該出射部が移動可能なロッドを備えていることを特徴とする紫外線照射装置。
【請求項１２】
前記対象物又はその周辺に設けられるシリンダを備え、前記ロッドは前記出射部が突出するように該シリンダに設けられている請求項１１記載の紫外線照射装置。
【請求項１３】
前記ロッドは前記紫外線を透光可能な透光性材料からなり、該ロッドの後端には該紫外線を照射可能な紫外線光源が設けられている請求項１２記載の紫外線照射装置。
【請求項１４】
前記紫外線光源が前記シリンダに設けられている請求項１３記載の紫外線照射装置。
【請求項１５】
前記シリンダは前記紫外線を透光可能な透光性材料からなる請求項１４記載の紫外線照射装置。
【請求項１６】
前記出射部の表面には、前記紫外線を透光可能であるとともに光触媒を含む防汚層が形成されている請求項１１乃至１５のいずれか１項記載の紫外線照射装置。
【発明の詳細な説明】
【技術分野】
【０００１】
本発明は防汚設備及び紫外線照射装置に関する。
【背景技術】
【０００２】
特許文献１〜３に従来の防汚設備が開示されている。例えば特許文献１の図１〜３に開示されている防汚設備は、自己が防汚を必要とする洋風便器本体と、この洋風便器本体に固定され、洋風便器本体に紫外線を照射可能な紫外線光源とを備えている。また、この防汚設備では、洋風便器本体の紫外線が照射される部分に光触媒が設けられている。
【０００３】
この防汚設備は、紫外線光源が照射する紫外線により洋風便器本体が殺菌され、防汚効果が得られる。また、その際、紫外線によって光触媒の活性が上がり、より高い防汚効果が発揮される。特許文献１の他の防汚設備及び特許文献２、３に開示された防汚設備も同様である。
【０００４】
【特許文献１】実開平５−１６８８１号公報
【特許文献２】特開平１１−７１８０３号公報
【特許文献３】特開２００１−６５０３５号公報
【発明の開示】
【発明が解決しようとする課題】
【０００５】
しかし、上記従来の防汚設備は、自己又は自己の周辺が防汚を必要とする洋風便器本体等の対象物に紫外線光源が固定されている。このため、この防汚設備は、設備の意匠及び使用上の観点から、紫外線光源を対象物に固定する位置の自由度が低かった。また、こうして紫外線光源を対象物に固定する位置を限定すると、紫外線が照射される範囲が限定されてしまい、充分な防汚効果を発揮し難い。さらに、意匠をある程度犠牲にして充分な防汚効果を発揮できるように紫外線光源を対象物に固定すると、汚れが紫外線光源に付着しやすく、汚れによって紫外線を照射することが困難な事態を生じ、防汚効果の耐久性が損なわれ易い。
【０００６】
本発明は、上記従来の実情に鑑みてなされたものであって、意匠や使用の便宜を損なうことなく、充分な防汚効果を長期に亘って発揮可能な防汚設備を提供することを解決すべき課題としている。また、本発明は、そのような防汚設備に用いて好適な紫外線照射装置を提供することも解決すべき課題としている。
【課題を解決するための手段】
【０００７】
本発明の防汚設備は、自己又は自己の周辺が防汚を必要とする対象物と、紫外線を照射する出射部をもつロッドとを備え、該ロッドは、該対象物及び／又はその周辺に該紫外線を照射可能に該出射部が該対象物に対して移動可能に構成されていることを特徴とする。
【０００８】
この防汚設備では、ロッドの出射部が対象物に対して移動し、それによって対象物及び／又はその周辺に紫外線を照射できる。このため、この防汚設備は、ロッドを対象物に設ける位置が設備の意匠及び使用上の制限を受け難く、設計の自由度が高い。また、出射部は、対象物及び／又はその周辺に紫外線を照射可能に移動することから、紫外線を照射する範囲を広範囲にすることが可能であり、充分な防汚効果を発揮し易い。さらに、例えば防汚設備が使われている時には出射部をある位置に移動し、防汚設備が使われていない時には出射部を他の位置に移動させること等により、汚れが出射部に付着することを防止でき、耐久性のある防汚効果を実現する。
【０００９】
したがって、本発明の防汚設備は、優れた意匠を呈し、かつ使用の便宜が損なわれず、充分な防汚効果を長期に亘って発揮することが可能である。
【００１０】
対象物は、自己又は自己の周辺が防汚を必要とするものである。例えば、洋風便器本体、便座、便蓋、シンク、カウンタ、浴槽等が対象物となり得る。
【００１１】
ロッドは紫外線（波長が約３００〜４００ｎｍ）を照射する出射部をもつ。出射部はロッドの全体でもよく、一部でもよい。出射部がロッドの一部である場合、ロッドの先端に出射部が位置することが好ましい。これにより、紫外線を照射できる範囲が広くなったり、指向性が上がるからである。また、ロッドは、紫外線を照射可能な紫外線光源を出射部として自身が有していてもよいし、他に設けた紫外線光源の紫外線を自身が導波し、出射部から照射してもよい。紫外線光源としては、紫外線ランプ、紫外線ＬＥＤその他の一般的な紫外線光源を採用することができる。また、紫外線を含む光線を照射する白熱電球、蛍光灯、水銀ランプ等の光源を採用することもできる。紫外線照射装置の小型化、省電力化、耐久性のためには紫外線ＬＥＤを採用することが好ましい。
【００１２】
ロッドの出射部は、対象物及び／又はその周辺に紫外線を照射可能に対象物に対して移動可能である。出射部は、対象物に対して直線状に前進及び後退してもよく、対象物に対して揺動してもよい。
【００１３】
対象物が洋風便器本体、便座及び便蓋の少なくとも一つである場合、出射部は、洋風便器本体、便座上の人の局部、便座及び便蓋の少なくとも一つに紫外線を照射可能に構成されていることが可能である。これらの場合、防汚設備は洋風便器に具体化される。例えば、対象物が洋風便器本体、便座及び便蓋の少なくとも一つであり、出射部が洋風便器本体の鉢面に紫外線を照射可能に構成されている洋風便器では、紫外線により洋風便器本体が殺菌され、防汚効果が得られる。出射部が洋風便器本体と床面との間に紫外線を照射可能に構成されている洋風便器では、紫外線により洋風便器本体と床面との間が殺菌され、防汚効果が得られる。出射部が便座上の人の局部を照射可能に構成されている洋風便器では、その人の局部を殺菌することができる。この場合には、日焼けし難い３４０〜３８０ｎｍの波長の紫外線を照射することが好ましい。出射部が便座を照射可能に構成されている洋風便器では、紫外線により便座が殺菌され、防汚効果が得られる。出射部が便蓋を照射可能に構成されている洋風便器では、紫外線により便蓋が殺菌され、防汚効果が得られる。
【００１４】
洋風便器本体が鉢面に封水を形成するトラップをもつ場合、出射部は、封水の水位が下がる時に鉢面に突出し、トラップに紫外線を照射可能であることが好ましい。この場合、封水により紫外線の照射が不十分となり易いトラップにも、封水の水位が下がる時を有効に利用して、紫外線を確実に照射することができる。このため、トラップについて、本発明の効果を確実に奏することができる。
【００１５】
洋風便器が洗浄水を吐出可能なノズルを備える場合、ロッドはノズルであり得る。この場合、別個に紫外線照射装置を設置する必要がなく、防汚設備の小型化及び簡素化並びにそれに起因する製品コストの低廉化を実現できる。そして、この洋風便器では、鉢面、便座及び便蓋等の広い範囲にノズルの先端から洗浄水を吐出しつつ紫外線を照射することにより、紫外線が導波された洗浄水を鉢面、便座及び便蓋等の広い範囲に当てることもできる。このため、この洋風便器は、鉢面、便座及び便蓋等をより効果的に殺菌し、清潔な状態を維持することができる。
【００１６】
ノズルは、洗浄水を吐出する際、洗浄水に紫外線を照射することにより、その紫外線が導波された洗浄水を人の局部に当てるものであることができる。この洋風便器では、人の局部をより効果的に殺菌し、清潔にすることもできる。
【００１７】
ノズルは、洗浄水を吐出する際、洗浄水に紫外線を照射することにより、その紫外線が導波された洗浄水を鉢面に当てるものであることもできる。この洋風便器では、鉢面をより効果的に殺菌し、清潔な状態を維持することができる。
【００１８】
対象物が鉢面をもつシンクである場合、出射部は鉢面に紫外線を照射可能に構成されていることが可能である。この場合、防汚設備はシンクに具体化される。このシンクは、紫外線により殺菌され、防汚効果が得られる。
【００１９】
対象物がカウンタである場合、出射部はカウンタの表面又は裏面に紫外線を照射可能に構成されていることが可能である。この場合、防汚設備はカウンタに具体化される。このカウンタでは、紫外線によりカウンタの表面又は裏面が殺菌され、防汚効果が得られる。
【００２０】
対象物には、光触媒が設けられていることが好ましい。この場合、対象物に設けられた光触媒に紫外線が照射されることにより、光触媒の活性が上がり、対象物に付着した臭気成分や汚れ成分をより効果的に分解することができる。その結果、この防汚設備は、防汚性能をより確実に発揮させることができる。この場合、紫外線は、光触媒を効果的に励起可能な３８０ｎｍの波長のものであることが好ましい。
【００２１】
出射部は、周囲で人体が検知されない時、紫外線を照射可能であることも可能である。この場合、紫外線によって人体が害を受けることがなく、かつ防汚設備の効果を発揮させることが可能な時間に自動的に機能させることが可能となる。
【００２２】
本発明の防汚設備において、ロッドが紫外線を透光可能な透光性材料からなり、ロッドの後端に紫外線を照射可能な紫外線光源が設けられていることが好ましい。これにより、ロッド自体に紫外線光源を設ける必要がなくなる。このため、ロッドに紫外線光源を設ける場合に必要な給電手段が不要となり、防汚設備の小型化及び簡素化並びにそれらに起因する製品コストの低廉化が可能となる。
【００２３】
本発明の防汚設備において、紫外線光源は電磁給電によって紫外線を照射可能なものであることが好ましい。これにより、紫外線光源への有線による給電が不要となる。このため、紫外線光源への給電を容易に実施可能となり、防汚設備の小型化及び簡素化が可能となる。
【００２４】
本発明の防汚設備において、出射部の表面には、紫外線を透光可能であるとともに光触媒を含む防汚層が形成されていることが好ましい。この場合、この防汚設備では、出射部から紫外線が照射されるだけでなく、出射部の表面に形成された光触媒を含む防汚層にも紫外線が照射されることとなる。このため、この防汚設備は、出射部の表面に汚れが付着するおそれがある場合でも、防汚層において光触媒の活性が上がり、臭気成分や汚れ成分をより効果的に分解することができる。その結果、この防汚設備は、より高い防汚効果が発揮される。
【００２５】
本発明の紫外線照射装置は、紫外線を照射する出射部をもち、自己又は自己の周辺が防汚を必要とする対象物に対して該出射部が移動可能なロッドを備えていることを特徴とする。
【００２６】
この紫外線照射装置を対象物又はその周辺に設ければ、その対象物を備えた設備を本発明の防汚設備にすることができる。
【００２７】
本発明の紫外線照射装置は、対象物又はその周辺に設けられるシリンダを備え、ロッドは出射部が突出するようにシリンダに設けられていることができる。シリンダは、対象物又はその周辺に固定されてもよいし、移動可能に設けられてもよい。この紫外線照射装置では、ロッドをシリンダに収容した状態としておれば、防汚設備において、紫外線照射装置が目立たず、防汚設備の意匠及び使用の便宜を損ない難い。このため、この紫外線照射装置は設置場所の自由度が高い。また、この状態では、汚れが出射部に付着し難く、紫外線の照射能力が低下するという事態が生じ難い。その結果、この紫外線照射装置は、防汚効果の低下を抑制することができる。また、この紫外線照射装置は、ロッドをシリンダから突出させた状態とすれば、出射部から紫外線を好適な範囲に照射し、対象物及び／又はその周辺を殺菌することが可能となる。このため、この紫外線照射装置は、防汚効果を長期に亘って発揮することができる。
【００２８】
ロッドをシリンダから突出可能とする駆動方法としては、空気や水等による流体駆動、ソレノイド駆動若しくはモータ駆動等の一般的な駆動方法又はこれらの複合式のもの等を採用することができる。
【００２９】
ロッドは紫外線を透光可能な透光性材料からなり、ロッドの後端には紫外線を照射可能な紫外線光源が設けられ得る。この場合、ロッド自体に紫外線光源を設ける必要がなくなる。このため、ロッドに紫外線光源を設ける場合に必要な給電手段が不要となり、紫外線照射装置、ひいては防汚設備の小型化及び簡素化並びにそれらに起因する製品コストの低廉化が可能となる。紫外線光源はシリンダに設けられることができる。
【００３０】
紫外線光源がシリンダに設けられる場合、シリンダは紫外線を透光可能な透光性材料からなり得る。この場合、シリンダからロッドを突出させた状態で、出射部から紫外線を照射するだけでなく、シリンダに設けた紫外線光源によりシリンダ内部からシリンダ表面に向けて紫外線を照射することができる。また、シリンダ内にロッドを戻した状態でも、シリンダに設けた紫外線光源によりシリンダ内部からシリンダ表面に向けて紫外線を照射するようにし得る。このため、この紫外線照射装置は、シリンダの表面に汚れが付着するおそれがある場合でも、紫外線により殺菌等の防汚効果を発揮することができる。
【００３１】
本発明の紫外線照射装置においても、紫外線光源は電磁給電によって紫外線を照射可能なものであることが好ましい。これにより、紫外線光源への有線による給電が不要となる。このため、紫外線光源への給電を容易に実施可能となり、紫外線照射装置、ひいては防汚設備の小型化及び簡素化が可能となる。
【００３２】
本発明の紫外線照射装置は、ロッドは出射部が外周側になるように対象物又はその周辺に揺動可能に設けられていることができる。この紫外線照射装置では、ロッドを一方向に揺動させた状態とし、防汚設備の意匠及び使用の便宜を損なわないようにすることができる。このため、この紫外線照射装置も設置場所の自由度が高い。また、この状態では、汚れが出射部に付着し難く、紫外線の照射能力が低下するという事態が生じ難い。その結果、この紫外線照射装置は、防汚効果の低下を抑制することができる。また、この紫外線照射装置は、ロッドを他方向に揺動させた状態とし、出射部から紫外線を好適な範囲に照射し、対象物及び／又はその周辺を殺菌することが可能となる。このため、この紫外線照射装置も、防汚効果を長期に亘って発揮することができる。
【００３３】
ロッドを揺動可能とする駆動方法としては、ソレノイド駆動若しくはモータ駆動等の一般的な駆動方法又はこれらの複合式のもの等を採用することができる。
【００３４】
紫外線照射装置において、出射部は、紫外線を透光可能な透光性材料からなる透光部と、透光部内に設けられ、紫外線を照射可能な紫外線光源とからなり得る。この場合、ロッド自体に紫外線光源を設けることとなるが、対象物に直接紫外線を照射し、優れた防汚効果を発揮することができる。
【００３５】
透光部の先端面及び後端面には紫外線を反射可能な反射層が形成されていることが好ましい。この場合、反射層によって紫外線が無駄な方向に照射されず、優れた防汚効果を発揮することができる。
【００３６】
本発明の紫外線照射装置においても、出射部の表面には、紫外線を透光可能であるとともに光触媒を含む防汚層が形成されていることが好ましい。この場合、この紫外線照射装置では、出射部から紫外線が照射されるだけでなく、出射部の表面に形成された光触媒を含む防汚層にも紫外線が照射されることとなる。このため、この紫外線照射装置は、出射部の表面に汚れが付着するおそれがある場合でも、防汚層において光触媒の活性が上がり、臭気成分や汚れ成分をより効果的に分解することができる。その結果、この紫外線照射装置は、より高い防汚効果を発揮することができる。
【発明を実施するための最良の形態】
【００３７】
以下、本発明を具体化した実施例１〜９を図面を参照しつつ説明する。
【実施例１】
【００３８】
図１〜３に示すように、実施例１の防汚設備は、実施例１の紫外線照射装置としてのノズル３０が設けられた洋風便器１である。洋風便器１は、洋風便器本体１０と便座２４と便蓋２６とを備える。
【００３９】
図１において、洋風便器本体１０の便鉢１２の底部にトラップ１４が設けられ、排水口１６がこのトラップ１４に後続して設けられている。便鉢１２には、ロータンク２０内の水が水路１８を介して供給されるようになっている。
【００４０】
この洋風便器本体１０の後部上面には便座ボックス２２が設置され、便座２４と便蓋２６とが便座ボックス２２に対し上下方向に揺動自在に取り付けられている。便鉢１２の鉢面１２ａと、便座２４の下面、上面、内周面及び外周面と、便蓋２６及び便座ボックス２２の下面とには、図２に示すように、それぞれこれらの基材１００上に光触媒を含む防汚層１０１が設けられている。
【００４１】
便座ボックス２２内には、洋風便器１を使用する者の臀部を温水で洗浄するためのノズル３０のほか、このノズル３０用の温水タンク（図示しない）や、臀部を乾燥させるための温風ファン（図示しない）等が設置されている。
【００４２】
ノズル３０は、図３（ａ）に示すように、シリンダ３２と、シリンダ３２から前方に突出可能なロッドとしてのノズル本体３４と、ノズル本体３４の先端の噴出口３６と、ノズル本体３４を後退方向に付勢するリターンスプリング３８等を有する。シリンダ３２の後部の給水口３２１に水（温水）を供給すると、図３（ｂ）に示すように、水圧によってノズル本体３４が前進し、噴出口３６から上方へ温水が噴出し、人体の臀部が温水で洗浄される。ノズル本体３４及びシリンダ３２の外面にも光触媒を含む防汚層１０１が設けられている。
【００４３】
このシリンダ３２の先端側には１次コイル４０が巻回され、ノズル本体３４の後部には２次コイル４２が巻回されている。なお、シリンダ３２及びノズル本体３４は合成樹脂などの非磁性かつ非導電性材料にて構成されている。１次コイル４０は、ノズル本体３４が前進限まで前進したときに、２次コイル４２と対峙する位置に設けられている。
【００４４】
また、シリンダ３２の先端側には、ソレノイド４４が設けられている。図示は省略するが、ノズル本体３４には、前進限まで前進したときにソレノイド４４と対面する位置に磁石片が設けられている。ソレノイド４４に直流を通電して励磁すると、ソレノイド４４と磁石片とが強力に吸引し合い、ノズル本体３４が前進限にて保持されるよう構成されている。
【００４５】
ノズル本体３４の先端の下面、側面及び上面にそれぞれ出射部としての紫外線ＬＥＤ（ＵＶ−ＬＥＤ）４６が設けられており、これらのＵＶ−ＬＥＤ４６へ２次コイル４２から給電されるようにリード線（図示しない）が配線されている。
【００４６】
このノズル３０は紫外線照射装置を兼ねている。言い換えれば、実施例１の紫外線照射装置は、シリンダ３２と、シリンダ３２から突出可能なノズル本体３４とを有し、ノズル本体３４の先端からＵＶ−ＬＥＤ４６により紫外線を照射可能に構成されている。
【００４７】
このように構成された洋風便器１において、ノズル３０によって人体の臀部を温水で洗浄するときには、図３（ａ）の状態からシリンダ３２へ温水を供給し、図３（ｂ）のようにノズル本体３４を前進させ、噴出口３６から温水を上方に噴出させる。温水の供給を停止すると、リターンスプリング３８の付勢力によりノズル本体３４が図３（ａ）のように後退する。
【００４８】
ＵＶ−ＬＥＤ４６から便鉢１２の鉢面１２ａ等に紫外線を照射する場合には、まずノズル３０に温水を供給してノズル本体３４を前進させると共に、１次コイル４０に交流を通電し、ソレノイド４４に直流を通電する。１次コイル４０に生じた磁束により２次コイル４２に誘電電流が生じ、この電流がＵＶ−ＬＥＤ４６に流れ、ＵＶ−ＬＥＤ４６が点灯する。これにより、便鉢１２の鉢面１２ａ、便座２４の下面及び内周面、便蓋２６の下面に直接的に紫外線が照射される。また、便蓋２６の下面で反射した紫外線が便座２４の上面に照射される。この紫外線照射により、殺菌作用が奏されると共に、防汚層１０１の光触媒が励起し、有機物分解作用が奏される。
【００４９】
この紫外線照射を行う場合、ノズル本体３４を前進させた後、シリンダ３２への温水の供給を停止し、温水がノズル本体３４から噴出しないようにしてもよい。この場合、ソレノイド４４が励磁してノズル本体３４がロック状態となっているので、温水の供給を停止してもノズル本体３４は突出状態のままとなっている。なお、このようなソレノイド以外のロック機構を設けてもよい。
【００５０】
紫外線照射を停止するときには、１次コイル４０及びソレノイド４４への通電を停止する。ノズル本体３４はリターンスプリング３８の付勢力により図３（ａ）のように後退する。
【００５１】
実施例１のノズル３０は、周囲で人体が検知されない時又は便蓋２６が閉じている時、ノズル本体３４がシリンダ３２から突出して先端のＵＶ−ＬＥＤ４６を点灯させ、紫外線を照射することもできる。この場合、紫外線によって人体が害を受けることがなく、かつノズル３０の効果を発揮させることが可能な時間に自動的にノズル３０を機能させることができる。
【００５２】
逆に、ノズル３０によって人体の臀部の洗浄中にＵＶ−ＬＥＤ４６を点灯させ、臀部を紫外線殺菌するようにすることもできる。この場合には、人体に長時間紫外線を照射しないように照射時間を適度に設定することが好ましい。
【００５３】
また、実施例１の洋風便器１において、ノズル本体３４は、トラップ１４に形成された封水の水位が下がる時、シリンダ３２から突出してＵＶ−ＬＥＤ４６から紫外線を照射することもできる。この場合、封水により紫外線の照射が不十分となり易いトラップ１４にも、封水の水位が下がる時を有効に利用して、紫外線を確実に照射することができる。このため、トラップ１４について、本発明の効果を確実に奏することができる。
【００５４】
こうして、実施例１の洋風便器１では、使用者が使用する際に汚れが付着し難い便座２４の裏面側等にシリンダ３２を設置している。そして、この洋風便器１では、使用者が使用しない間に、紫外線を洋風便器本体１０の鉢面１２ａの広い範囲に照射可能なようにノズル本体３４をシリンダ３２から鉢面１２ａ内に突出させることも可能である。この場合、この洋風便器１は、使用者が使用しない間に殺菌をすることができる。また、この洋風便器１では、使用者が使用する際、ノズル本体３４を鉢面１２ａ内からシリンダ３２側に戻すことができるので、ＵＶ−ＬＥＤ４６が汚れ難くなっており、紫外線の照射能力が低下するという事態が生じ難い。その結果、実施例１の洋風便器１は、長期に亘って清潔な状態を維持することができる。
【００５５】
また、ノズル３０は、シリンダ３２と、シリンダ３２から突出可能なノズル本体３４とを有し、ノズル本体３４の先端から紫外線を照射可能に構成されている。このため、ノズル本体３４をシリンダ３２に収容した状態としておれば、洋風便器１において、ノズル３０が洋風便器１の意匠及び使用の便宜を損なわない。このため、このノズル３０の設置場所の自由度が高くなっている。また、この状態では、汚れがＵＶ−ＬＥＤ４６に付着し難く、紫外線の照射能力が低下するという事態が生じ難い。その結果、ノズル３０は、防汚効果の低下を抑制することができている。
【００５６】
さらに、ノズル３０は、ノズル本体３４をシリンダ３２から突出させた状態とすれば、ノズル本体３４がＵＶ−ＬＥＤ４６から紫外線を好適な範囲に照射し、洋風便器本体１０の鉢面１２ａ等を殺菌することが可能となっている。このため、このノズル３０は、防汚効果を長期に亘って発揮することができる。
【００５７】
したがって、実施例１の洋風便器１は、優れた意匠を呈し、かつ使用の便宜が損なわれず、充分な防汚効果を長期に亘って発揮することが可能である。また、実施例１のノズル３０は、洋風便器１への設置場所の自由度が高く、かつ洋風便器１の防汚効果を長期に亘って発揮し易い。
【００５８】
また、実施例１の洋風便器１は、ノズル３０が紫外線照射装置を兼ねていることから、別個に紫外線照射装置を設置する必要がなくなっており、洋風便器１の小型化及び簡素化並びにそれに起因する製品コストの低廉化を実現できている。
【００５９】
さらに、実施例１のノズル３０は、ＵＶ−ＬＥＤ４６が電磁給電によって紫外線を照射可能なものであることから、小型化及び簡素化が可能となっている。
【実施例２】
【００６０】
図４に示すように、実施例２の紫外線照射装置としてのノズル３０１は、実施例１のノズル３０のシリンダ３２の後端側に１次コイル４０ａを増設したものである。１次コイル４０ａは、シリンダ３２の前端側に設けられた１次コイル４０と同じ構成である。また、シリンダ３２の内側表面及びノズル本体３４の外表面には、図５に示すように、それぞれこれらの基材１００上に紫外線を反射可能な反射層１０２と防汚層１０１と順次が設けられている。他の構成は実施例１のノズル３０と同様であるので、説明は省く。
【００６１】
このような構成である実施例２のノズル３０１は、実施例１のノズル３０と同様な作用効果を奏するとともに、ノズル本体３４をシリンダ３２内に収容した状態において、１次コイル４０ａに通電することにより、ＵＶ−ＬＥＤ４６を点灯させる。そして、ＵＶ−ＬＥＤ４６から照射された紫外線は、シリンダ３２の内表面の反射層１０２及び防汚層１０１に当たり、周囲に散乱して、ノズル本体３４の外表面の反射層１０２及び防汚層１０１にも当たる。その結果、紫外線が照射されたシリンダ３２及びノズル本体３４の防汚層１０１では、光触媒の活性が上がって防汚効果が発揮される。このため、このノズル３０１は、ノズル本体３４がシリンダ３２内に収容された状態においても、シリンダ３２及びノズル本体３４を清潔な状態に維持することができる。
【実施例３】
【００６２】
実施例１のノズル３０では、シリンダ３２が固定されて動かないものであるのに対して、図６に示すように、実施例３の紫外線照射装置としてのノズル３０２では、シリンダ３２が軸芯Ｏ１を中心軸として回転可能とされている点が異なる。他の構成は実施例１のノズル３０と同様であるので、説明は省く。
【００６３】
実施例３のノズル３０２において、シリンダ３２は、軸芯Ｏ１を中心軸とする軸受５２２を介して、支持部材５２３に支承されている。また、シリンダ３２の後端側の外周には回転用ギヤ５２０が一体に形成され、支持部材５２３には回転用ギヤ５２０と噛み合うギヤ付きモータ５２４が設けられている。これにより、シリンダ３２は、軸芯Ｏ１を中心軸として回転可能とされている。また、支持部材５２３には、給水口５２１が形成されており、シリンダ３２の回転を許容しつつ、シリンダ３２内に水を供給可能とされている。
【００６４】
このような構成である実施例３のノズル３０２は、実施例１のノズル３０と同様な作用効果を奏するとともに、図７に示すように、シリンダ３２を軸芯Ｏ１を中心軸として回転させ、ノズル本体３４の噴出口３６の吐出方向を変更することができる。
【００６５】
また、図８（ａ）〜（ｄ）に示すように、このノズル３０２は、シリンダ３２に対してノズル本体３４を前進後退させつつ、シリンダ３２を回転させて噴出口３６の吐出方向を変更することにより、鉢面１２ａ内の全域に紫外線を照射して、より確実に殺菌効果を発揮させることができる。
【実施例４】
【００６６】
図９及び図１０に示すように、実施例４の紫外線照射装置としてのノズル３０３は、実施例１のノズル３０に、ＵＶ−ＬＥＤ４６及びＵＶ−ＬＥＤ４６を制御する制御基板４６１を冷却する冷却流路５３０及び冷却配管５３１を増設したものである。他の構成は、実施例１のノズル３０と同様であるので、説明は省く。
【００６７】
実施例４のノズル３０３において、ＵＶ−ＬＥＤ４６には制御基板４６１が一体に設けられており、ＵＶ−ＬＥＤ４６が発光する際には、双方が発熱して高温となる傾向にある。また、噴出口３６から温水が吐出される場合には、さらにその傾向が強くなる。
【００６８】
このため、このノズル３０３では、図１０に示すように、ノズル本体３４の後端側から先端側のＵＶ−ＬＥＤ４６及び制御基板４６１まで、冷却流路５３０が形成されている。また、シリンダ３２内には、シリンダ３２の後端から冷却流路５３０内に少なくとも一部が挿通される冷却配管５３１が設けられている。
【００６９】
この冷却配管５３１は、図９に示すように、ノズル本体３４がシリンダ３２内に収容される場合に、冷却流路５３０内にほぼ全体が挿通されてノズル本体３４の前進後退を許容するようになっている。そして、外部から供給される冷却水は、冷却配管５３１及び冷却流路５３０に形成された往路（図示しない）を介して、ＵＶ−ＬＥＤ４６及び制御基板４６１を冷却し、冷却配管５３１及び冷却流路５３０に形成された復路（図示しない）を介して、外部に排出されるようになっている。
【００７０】
このような構成である実施例４のノズル３０３は、実施例１のノズル３０と同様な作用効果を奏するとともに、冷却配管５３１及び冷却流路５３０によって、ＵＶ−ＬＥＤ４６及び制御基板４６１を冷却し、耐久性を向上させることができる。
【００７１】
なお、冷却配管５３１及び冷却流路５３０に往路のみを形成し、冷却流路５３０の先端側に吐出口を設けて、冷却水を吐出口から吐出するようにしてもよい。
【実施例５】
【００７２】
実施例１ではノズル３０が紫外線照射装置を兼ねているのに対して、図１１に示す実施例５の紫外線照射装置３０ａは、図１に示す洋風便器１において、ノズル３０の隣に別個に設置されるものである。他の構成は、実施例１のノズル３０と同様であるので、説明は省く。
【００７３】
実施例５の紫外線照射装置３０ａは、シリンダ３２ａと、シリンダ３２ａから前方に突出可能なロッド３４ａとを有する。
【００７４】
シリンダ３２ａ及びロッド３４ａを構成する材料は、紫外線を透光可能な透光性材料であるシリコン樹脂、アクリル樹脂、エポキシ樹脂、ポリカーボネート樹脂、ガラス等から適宜選択されたものである。シリンダ３２ａ内は、ロッド３４ａを後退方向に付勢するリターンスプリング３８ａが配設されている。
【００７５】
シリンダ３２ａの後端には、ＵＶ−ＬＥＤ４６ａが設けられており、前端が封止された円筒状のロッド３４ａに紫外線を入射可能とされている。また、シリンダ３２ａの後部には、空気供給口３２１ａが配設されている。
【００７６】
空気供給口３２１ａには、図１２に示すように、送風配管７０、送風手段７１が接続されている。送風配管７０の途中には、香り付加手段７２が設置され、シリンダ３２ａに供給する空気に香りを付加することが可能とされている。送風配管７０及び送風手段７１によって、シリンダ３２ａに空気が供給されることにより、図１３に示すように、ロッド３４ａが前方に突出可能となっている。
【００７７】
図１１及び図１３に示すように、ロッド３４ａの先端には、ＵＶ−ＬＥＤ４６ａから入射された紫外線を照射可能な出射部３４１ａと、空気噴出口３６ａとが形成されている。
【００７８】
出射部３４１ａは、微小な突起を面状に配列したものであり、紫外線を広い範囲に拡散させつつ出射可能とされている。出射部３４１ａの表面には、紫外線を透光可能であるとともに光触媒を含む防汚層１０１が形成されている。
【００７９】
空気噴出口３６ａは、シリンダ３２ａに供給された空気を噴出するためのものである。特に、香り付加手段７２を作動させることで、空気噴出口３６ａからよい香りの空気を噴出することが可能となっている。
【００８０】
このような構成である実施例５の紫外線照射装置３０ａも、実施例１のノズル３０と同様の作用効果を奏することができる。また、紫外線照射装置３０ａはノズル３０と別個に設置されているので、機能分離によって作動時の制約を少なくすることができる。
【００８１】
それに加えて、この紫外線照射装置３０ａにおいて、シリンダ３２ａは紫外線を透光可能な上述の透光性材料からなり、ＵＶ−ＬＥＤ４６ａがシリンダ３２ａの後端に設けられている。このため、この紫外線照射装置３０ａは、シリンダ３２ａからロッド３４ａを突出させた状態で、ロッド３４ａの先端から紫外線を照射するだけでなく、シリンダ３２ａの後端に設けたＵＶ−ＬＥＤ４６ａにより、シリンダ３２ａの内部からシリンダ３２ａの表面に向けて紫外線を照射することができる。また、シリンダ３２ａ内にロッド３４ａを戻した状態でも、シリンダ３２ａの後端に設けたＵＶ−ＬＥＤ４６ａにより、シリンダ３２ａの内部からシリンダ３２ａの表面に向けて紫外線を照射することができる。このため、この紫外線照射装置３０ａは、シリンダ３２ａの表面に汚れが付着するおそれがある場合でも、紫外線により殺菌等の防汚効果を発揮することができる。
【００８２】
さらに、この紫外線照射装置３０ａにおいて、ロッド３４ａは紫外線を透光可能な上述の透光性材料からなり、ロッド３４ａに紫外線を入射可能なＵＶ−ＬＥＤ４６ａがシリンダ３２ａに設けられている。このため、ロッド３４ａに紫外線光源を設ける必要がなくなっている。このため、ロッド３４ａに紫外線光源を設ける場合に必要な給電手段が不要となっており、紫外線照射装置３０ａ、ひいては洋風便器１の小型化及び簡素化並びにそれらに起因する製品コストの低廉化が可能となっている。
【００８３】
また、この紫外線照射装置３０ａは、出射部３４１ａを有しているので、ロッド３４ａの先端から所望な範囲に好適に紫外線を照射することを一層容易に実現することができている。
【００８４】
さらに、この紫外線照射装置３０ａにおいて、出射部３４１ａの表面には、紫外線を透光可能であるとともに光触媒を含む防汚層１０１が形成されている。このため、この紫外線照射装置３０ａでは、シリンダ３２ａからロッド３４ａを突出させた状態で、ロッド３４ａの先端の出射部３４１ａから紫外線が照射されるだけでなく、出射部３４１ａの表面に形成された防汚層１０１にも紫外線が照射される。このため、この紫外線照射装置３０ａは、ロッド３４ａの先端の出射部３４１ａの表面に汚れが付着するおそれがある場合でも、防汚層１０１において光触媒の活性が上がり、臭気成分や汚れ成分をより効果的に分解することができている。
【００８５】
なお、実施例５の紫外線照射装置３０ａは、図１４に示すように、突出した状態のロッド３４ａに対して、便蓋２６の裏面に設置されたＵＶ−ＬＥＤ２６ａから紫外線を照射することで、ロッド３４ａの表面における防汚効果をさらに向上させることが可能である。
【００８６】
また、実施例５の紫外線照射装置３０ａは、図１５に示すように、シリンダ３２ａ及び後退してシリンダ３２ａ内に収容された状態のロッド３４ａに対して、便座２４の裏面に設置されたＵＶ−ＬＥＤ２４ａから紫外線を照射することで、シリンダ３２ａ及びロッド３４ａの表面における防汚効果をさらに向上させることが可能である。
【実施例６】
【００８７】
実施例５の紫外線照射装置３０ａでは、ＵＶ−ＬＥＤ４６ａがシリンダ３２ａの後端に設置され、ロッド３４ａの先端に出射部３４１ａが形成されているのに対して、図１６及び図１７に示すように、実施例６の紫外線照射装置３０ｂでは、ロッド３４ｂの先端に出射部としてのＵＶ−ＬＥＤ４６ｂが設置されている点が異なる。他の構成は、実施例５の紫外線照射装置３０ａと同様であるので、説明は省く。
【００８８】
実施例６の紫外線照射装置３０ｂにおいて、ＵＶ−ＬＥＤ４６ｂは、前端が封止された円筒状のロッド３４ｂの先端に設置され、紫外線をトラップ１４の方向に照射可能な姿勢とされている。
【００８９】
シリンダ３２ｂの後端側からロッド３４ｂの内部を経て、ロッド３４ｂの先端のＵＶ−ＬＥＤ４６ｂまでには、給電用のリード線８１が配線されている。リード線８１は、コイル状に形成され、ロッド３４ｂの突出にあわせて追従可能とされている。
【００９０】
このような構成である実施例６の紫外線照射装置３０ｂも、実施例１のノズル３０と同様の作用効果を奏することができる。また、この紫外線照射装置３０ｂは、実施例５の紫外線照射装置３０ａと同様にノズル３０と別個に設置されているので、機能分離によって作動時の制約を少なくすることができる。また、実施例６の紫外線照射装置３０ｂは、ＵＶ−ＬＥＤ４６ｂをロッド３４ｂの先端に設置していることから、実施例５の紫外線照射装置３０ａと比べて、特定の方向に紫外線を集中的に照射したい場合に適している。例えば、図１８に示す変形例の紫外線照射装置３０ｃのように、２個以上のＵＶ−ＬＥＤ４６ｂをロッド３４ｂの先端に出射部として設置すれば、特定の方向に紫外線をさらに集中的に照射することが可能である。
【実施例７】
【００９１】
図１９に示すように、実施例７の防汚設備は、実施例６の紫外線照射装置３０ｂが設けられたシンク９１である。
【００９２】
この場合、紫外線照射装置３０ｂは、洋風便器１に適用される場合と同様に、通常はロッド３４ｂが後退して、シリンダ３２ｂ内に収容されており、紫外線による殺菌作用が必要なときには、ロッド３４ｂが前方に突出してシンク９１の排水口９２又は屑入れ９３に紫外線を照射する。こうして、シンク９１は、紫外線の殺菌作用により、雑菌の繁殖が抑制され、清潔な状態を維持することが可能となっている。他の作用効果は実施例１と同様である。
【実施例８】
【００９３】
図２０及び図２１に示すように、実施例８の防汚設備は、紫外線照射装置としてのロッド９６をカウンタ９５に揺動可能に設けたシンク９７である。
【００９４】
ロッド９６は、図２２に示すように、ロッド本体９６１と、このロッド本体９６１の先端に設けられた出射部９６２とからなる。出射部９６２は、紫外線を透光可能な透光性材料からなる透光部９６２ａと、この透光部９６２ａ内に設けられたＵＶ−ＬＥＤ４６ｃとからなる。透光部９６２ａの先端面及び後端面には紫外線を反射可能な反射層１０２が形成されている。
【００９５】
ロッド本体９６１は図示しないモータによりカウンタ９５に対して揺動可能に構成されている。また、図２０及び図２１に示すように、カウンタ９５の前面には赤外線、マイクロ波等を用いた人体検知センサ９５ａが設けられている。人体検知センサ９５ａによってカウンタ９５の前に人がいると検知されている間は、モータによってロッド９６が水平になり、かつＵＶ−ＬＥＤ４６ｃへの給電が行われない。逆に、人体検知センサ９５ａによってカウンタ９５の前に人がいると検知されれば、モータによってロッド９６がカウンタ９５の縁から起立し、かつＵＶ−ＬＥＤ４６ｃへの給電が行われる。
【００９６】
このシンク９７では、人がカウンタ９５の前面にいる場合には、図２０に示すように、ロッド９６が水平になり、シンク９７の意匠を損なわないとともに、使用の邪魔にならない。また、人がカウンタ９５の前面にいない場合には、図２１に示すように、ロッド９６が起立し、外周側の出射部９６２から紫外線を直接好適な範囲に照射し、カウンタ９５の表面を殺菌することが可能となる。このため、カウンタ９５の防汚効果が得られる。この際、透光部９６２が反射層１０２を有しているため、紫外線は所望の角度で照射されて無駄な方向に照射されず、優れた防汚効果を発揮することができる。他の作用効果は実施例１と同様である。
【実施例９】
【００９７】
図２３に示すように、実施例９の紫外線照射装置８０は、透明なロッド５０の後端面に対峙してＵＶ−ＬＥＤ５２を設けたものである。ロッド５０は、公知のモータ等により対象物に対して移動可能に構成されている。
【００９８】
ロッド５０は、ＵＶ−ＬＥＤ５２からの紫外線を内部に入射させ、全反射を利用して紫外線を先端まで導く。そして、先端に設けた粗面等よりなる出射部５０ａから紫外線を出射させる。この出射部５０ａは、汚れが付着し易いので、光触媒を含む防汚層１０１をコーティング等により保持させることが好ましい。防汚層１０１はロッド５０のその他の部位にも設けられてもよい。出射部５０ａはロッド５０の先端の全外周面に設けてもよい。
【００９９】
以上において、本発明を実施例１〜９に即して説明したが、本発明は上記実施例１〜９に制限されるものではなく、その趣旨を逸脱しない範囲で適宜変更して適用できることはいうまでもない。
【０１００】
例えば、図１では、洋風便器本体１にロータンク２０が設置されているが、ロータンクカバーを備えた機種や、ロータンクのない機種の洋風便器等にも本発明を適用することができる。
【０１０１】
また、本発明では、洋風便器のさらに他の部位に防汚層１０１が設けられてもよい。本発明では、洋風便器を据え付けた床面等と洋風便器との境界部にコーキングを施した場合、このコーキングに光触媒を保持させてもよい。この場合、光触媒をコーティング等により保持させるときには、洋風便器とコーキングとに跨って光触媒を保持させたり、床面とコーキングとに跨って光触媒を保持させたりすることが好ましい。
【産業上の利用可能性】
【０１０２】
本発明は、洋風便器、シンク、浴室等に利用可能である。
【図面の簡単な説明】
【０１０３】
【図１】実施例１の洋風便器の縦断面図である。
【図２】便鉢等の要部を示す拡大断面図である。
【図３】実施例１の紫外線照射装置に係り、（ａ）はノズル本体がシリンダ内に収容された状態を示す断面図であり、（ｂ）はノズル本体がシリンダから突出した状態を示す断面図である。
【図４】実施例２の紫外線照射装置に係り、（ａ）はノズル本体がシリンダ内に収容された状態を示す断面図であり、（ｂ）はノズル本体がシリンダから突出した状態を示す断面図である。
【図５】シリンダ等の要部を示す拡大断面図である。
【図６】実施例３の紫外線照射装置に係り、シリンダの回転機構を示す断面図である。
【図７】実施例３の洋風便器に係り、図１のα方向から見て、紫外線の照射方向を変更する動作を示す概略図である。
【図８】実施例３の洋風便器に係り、（ａ）〜（ｄ）は、図１のβ方向から見て、紫外線の照射方向を変更する連続動作を示す概略図である。
【図９】実施例４の紫外線照射装置に係り、ノズル本体がシリンダ内に収容された状態を示す断面図である。
【図１０】実施例４の紫外線照射装置に係り、ノズル本体がシリンダから突出した状態を示す断面図である。
【図１１】実施例５の紫外線照射装置に係り、ロッドがシリンダ内に収容された状態を示す断面図である。
【図１２】実施例５の紫外線照射装置に係り、送風手段、送風配管及び香り付加手段を示す概略断面図である。
【図１３】実施例５の紫外線照射装置に係り、ロッドがシリンダから突出した状態を示す断面図である。
【図１４】実施例５の紫外線照射装置に係り、便蓋の裏面にも紫外線光源を設置した例を示す概略断面図である。
【図１５】実施例５の紫外線照射装置に係り、便座の裏面にも紫外線光源を設置した例を示す概略断面図である。
【図１６】実施例６の紫外線照射装置に係り、ロッドがシリンダ内に収容された状態を示す断面図である。
【図１７】実施例６の紫外線照射装置に係り、ロッドがシリンダから突出した状態を示す断面図である。
【図１８】実施例６の紫外線照射装置の変形例を示す概略断面図である。
【図１９】実施例７のシンクを示す概略断面図である。
【図２０】実施例８のカウンタを示し、ロッドが水平になっている状態を示す斜視図である。
【図２１】実施例８のカウンタを示し、ロッドが起立している状態を示す斜視図である。
【図２２】実施例８の紫外線照射装置の拡大斜視図である。
【図２３】実施例９の紫外線照射装置の概略側面図である。
【符号の説明】
【０１０４】
１…洋風便器
１０…洋風便器本体
１２ａ…鉢面
１４…トラップ
２４…便座
２６…便蓋
９１…シンク
９５…カウンタ
２４ａ、２６ａ、４６、４６ａ、４６ｂ、４６ｃ、５２…紫外線光源（ＵＶ−ＬＥＤ）
４０、４０ａ…１次コイル
４２…２次コイル
４６、４６ｂ、３４１ａ、９６２、５０ａ…出射部
１０１…防汚層
３０、３０１、３０２、３０３、３０ａ、３０ｂ、３０ｃ、９６…紫外線照射装置（３０、３０１、３０２、３０３…ノズル、９６…ロッド）
３２、３２ａ、３２ｂ…シリンダ
３４、３４ａ、３４ｂ…ロッド（３４…ノズル本体）
９６１…ロッド本体
９６２ａ…透光部
１０２…反射層
【図１】
2006316607.tif 000003
【図２】
2006316607.tif 000004
【図３】
2006316607.tif 000005
【図４】
2006316607.tif 000006
【図５】
2006316607.tif 000007
【図６】
2006316607.tif 000008
【図７】
2006316607.tif 000009
【図８】
2006316607.tif 000010
【図９】
2006316607.tif 000011
【図１０】
2006316607.tif 000012
【図１１】
2006316607.tif 000013
【図１２】
2006316607.tif 000014
【図１３】
2006316607.tif 000015
【図１４】
2006316607.tif 000016
【図１５】
2006316607.tif 000017
【図１６】
2006316607.tif 000018
【図１７】
2006316607.tif 000019
【図１８】
2006316607.tif 000020
【図１９】
2006316607.tif 000021
【図２０】
2006316607.tif 000022
【図２１】
2006316607.tif 000023
【図２２】
2006316607.tif 000024
【図２３】
2006316607.tif 000025